(57)【特許請求の範囲】
【請求項１】
情報を記憶する素子を含む回路部と、
前記回路部に電気的に接続される導線からなり、信号を送受信するためのアンテナ部と、
その一方の面側において前記導線がコイル状に巻かれる板状ボビンと、を備えた内部部品を有し、
前記板状ボビンの前記導線が巻かれる部分の内側には前記板状ボビンを貫通する穴部が形成され、当該穴部に前記回路部が配設されており、
前記導線の巻き始め部分及び巻き終わり部分は、前記板状ボビンの前記他方の面側において、前記穴部を跨ぐようにして張り渡され、
前記回路部は、前記導線の巻き始め部分及び巻き終わり部分における前記穴部の位置に張り渡された導線部分に対して、前記板状ボビンの一方の面側から載置された状態で電気的に接続され、
前記内部部品は、前記板状ボビンの前記他方の面側において粘着層に貼着されており、
前記導線の巻き始め部分及び巻き終わり部分における前記穴部の位置に張り渡された前記導線部分は、前記粘着層に粘着されていることを特徴とする電子タグ。
【請求項２】
情報を記憶する素子を含む回路部と、
前記回路部に電気的に接続される導線からなり、信号を送受信するためのアンテナ部と、
その一方の面側において前記導線がコイル状に巻かれる板状ボビンと、を備えた内部部品を有し、
前記板状ボビンの前記導線が巻かれる部分の内側には前記板状ボビンを貫通する穴部が形成され、当該穴部に前記回路部が配設されており、
前記導線の巻き始め部分と巻き終わり部分との間の途中部分は、前記板状ボビンの前記他方の面側において、前記穴部を跨ぐようにして張り渡され、
前記内部部品は、前記板状ボビンの前記他方の面側において粘着層に貼着されており、
前記導線の巻き始め部分と巻き終わり部分との間の途中部分における前記穴部の位置に張り渡された前記導線部分は、前記粘着層に粘着されていることを特徴とする電子タグ。
【請求項３】
前記板状ボビンの一方の面側には、前記板状ボビンの前記一方の面側に巻かれた前記導線が粘着する粘着層が更に貼着されており、
前記板状ボビンの前記一方の面側に巻かれた前記導線が粘着する前記粘着層の外側に絶縁シートが貼着されていることを特徴とする請求項１又は請求項２に記載の電子タグ。
【請求項４】
前記内部部品が前記板状ボビンの前記他方の面側において貼着した前記粘着層の粘着力は、前記板状ボビンの前記一方の面側に巻かれた前記導線が粘着する前記粘着層の粘着力よりも強く設定されていることを特徴とする請求項３に記載の電子タグ。
【発明の詳細な説明】
【０００１】
【発明の属する技術分野】
本発明は、物品等の被装着物に対して付与された情報を記憶して、前記被装着物に装着される電子タグに関する。
【０００２】
【従来の技術】
物品等の被装着物に対して付与されている情報を読み取って識別するためのシステムとしてバーコードが使用されてきたが、より大量の情報を扱え、耐環境性に優れ、しかも遠隔読み出しが可能なデータキャリアシステムと呼ばれる電子タグシステムが使用され始めている。この電子タグ識別システムは、被装着物に装着される電子タグと呼ばれる応答器と、ホスト側に接続される質問器とで構成され、応答器と質問器との間で磁気、誘電電磁界、マイクロ波等の伝送媒体を介して非接触で交信を行うことを特徴としている。
【０００３】
電子タグ識別システムの情報伝送方式にはいろいろあるが、本発明は、マイクロ波方式に関するものであり、このマイクロ波方式では、質問器からの伝送信号のエネルギーを応答器の駆動電力として用いることができる。このため、マイクロ波方式は、電池を駆動源とする場合のように、電池の寿命が近づいてきたことによる応答能力の劣化や使用限界に至る心配がないという利点を有している。
【０００４】
電子タグ識別システムにおける電子タグ（応答器）は、質問器との間で信号を送受信するためのアンテナ部と回路部とを有しており、たとえば接着シート等を用いて、物品に貼り付けて装着される。回路部は、被装着物に対して付与された情報を記憶する素子、たとえばＩＣチップ等を有している。
【０００５】
【発明が解決しようとする課題】
ところで、被装着物に貼り付けて装着された電子タグ（回路部）は、電子タグが装着された被装着物そのものに対して付与された情報を記憶しているものなので、一度貼り付けた電子タグが被装着物から剥がされ、他の被装着物に貼り替えられるようなことがあると、電子タグ識別システムにおいて誤った情報が認識されてしまい、被装着物の取り扱いに悪影響を与えてしまう。そこで、被装着物に一度貼り付けた電子タグは、被装着物から剥がして再度利用できないような構造にする必要がある。
【０００６】
本発明は上述の点に鑑みてなされたもので、一度被装着物に貼り付けた電子タグが再度利用されないように、電子タグを被装着物から剥がそうとした場合に、電子タグが確実に破壊される構造を提供することを目的とする。
【０００７】
【課題を解決するための手段】
本発明に係る電子タグは、情報を記憶する素子を含む回路部と、回路部に電気的に接続される導線からなり、信号を送受信するためのアンテナ部と、その一方の面側において導線がコイル状に巻かれる板状ボビンと、を備えた内部部品を有し、板状ボビンの導線が巻かれる部分の内側には、板状ボビンを貫通する穴部が形成されており、導線の巻き始め部分及び巻き終わり部分は、板状ボビンの他方の面側において、穴部を跨ぐようにして張り渡され、回路部は、導線の巻き始め部分及び巻き終わり部分における穴部の位置に張り渡された導線部分に対して、板状ボビンの一方の面側から載置された状態で電気的に接続され、内部部品は、板状ボビンの他方の面側において粘着層に貼着されており、導線の巻き始め部分及び巻き終わり部分における穴部の位置に張り渡された導線部分は、粘着層に粘着されていることを特徴とする。
【０００８】
本発明に係る電子タグでは、上述したように、回路部と、アンテナ部と、板状ボビンとを備えた内部部品を有し、板状ボビンの他方の面側には、導線の巻き始め部分及び巻き終わり部分が張り渡されており、内部部品は、板状ボビンの他方の面側において粘着層に貼着されているので、被装着物に貼り付けられた電子タグ（内部部品）を取り外すために粘着層から板状ボビンを剥がそうとした場合に、板状ボビンの他方の面側に張り渡された導線の巻き始め部分及び巻き終わり部分が断線して、内部部品が破壊されることになる。この結果、剥がした電子タグを再度貼り付けて利用しようとしても、電子タグ側から信号を送信することが不可能となり、再度電子タグを利用することはできない。また、アンテナ部を構成する導線は板状ボビンに巻かれるので、アンテナ部の取り扱いが容易になり、製造時における導線の損傷を防ぐことができる。また、板状ボビンの導線が巻かれる部分の内側には、板状ボビンを貫通する穴部が形成され、導線の巻き始め部分及び巻き終わり部分は、板状ボビンの他方の面側において、穴部を跨ぐようにして張り渡され、回路部は、穴部の位置に張り渡された導線部分に対して、板状ボビンの一方の面側から載置された状態で電気的に接続されることにより、導線の位置が板状ボビンによって位置決めされ、回路部を導線に電気的に接続する工程を自動化することが可能となり、電子タグの生産性を向上することができる。また、導線の巻き始め部分及び巻き終わり部分が粘着層に粘着されるので、板状ボビンの他方の面側に張り渡された導線部分が複数となり、板状ボビンが粘着層から剥がされるときに導線が断線する確率が高くなる。したがって、板状ボビンの他方の面側に張り渡された導線において断線し易い箇所が増加するので、導線を確実に断線させることができる。
【０００９】
本発明に係る電子タグは、情報を記憶する素子を含む回路部と、回路部に電気的に接続される導線からなり、信号を送受信するためのアンテナ部と、その一方の面側において導線がコイル状に巻かれる板状ボビンと、を備えた内部部品を有し、板状ボビンの導線が巻かれる部分の内側には板状ボビンを貫通する穴部が形成され、当該穴部に回路部が配設されており、導線の巻き始め部分と巻き終わり部分との間の途中部分は、板状ボビンの他方の面側において、穴部を跨ぐようにして張り渡され、内部部品は、板状ボビンの他方の面側において粘着層に貼着されており、導線の巻き始め部分と巻き終わり部分との間の途中部分における穴部の位置に張り渡された導線部分は、粘着層に粘着されていることを特徴とする電子タグ。
【００１０】
本発明に係る電子タグでは、上述したように、回路部と、アンテナ部と、板状ボビンとを備えた内部部品を有し、板状ボビンの他方の面側には、導線の巻き始め部分と巻き終わり部分との間の途中部分が張り渡されており、内部部品は、板状ボビンの他方の面側において粘着層に貼着されているので、被装着物に貼り付けられた電子タグ（内部部品）を取り外すために粘着層から板状ボビンを剥がそうとした場合に、板状ボビンの他方の面側に張り渡された導線の巻き始め部分と巻き終わり部分との間の途中部分が断線して、内部部品が破壊されることになる。この結果、剥がした電子タグを再度貼り付けて利用しようとしても、電子タグ側から信号を送信することが不可能となり、再度電子タグを利用することはできない。また、アンテナ部を構成する導線は板状ボビンに巻かれるので、アンテナ部の取り扱いが容易になり、製造時における導線の損傷を防ぐことができる。また、導線の巻き始め部分と巻き終わり部分との間の途中部分が粘着層に粘着されるので、板状ボビンが粘着層から剥がされるときに、導線の巻き始め部分と巻き終わり部分との間の途中部分を積極的に断線させることが可能な構成を実現することができる。
【００１１】
また、板状ボビンの一方の面側には、板状ボビンの一方の面側に巻かれた導線が粘着する粘着層が更に貼着されており、板状ボビンの一方の面側に巻かれた導線が粘着する粘着層の外側に絶縁シートが貼着されていることが好ましい。このように、板状ボビンの一方の面側に、板状ボビンの一方の面側に巻かれた導線が粘着する粘着層が更に貼着され、板状ボビンの一方の面側に巻かれた導線が粘着する粘着層の外側に絶縁シートが貼着されることにより、被装着物に貼り付けられた電子タグを取り外すために絶縁シートを剥がそうとした場合に、板状ボビンの一方の面側に巻かれた導線の一部も断線させることが可能となる。したがって、導線において断線し易い箇所が更に増加するので、導線をより一層確実に断線させることができる。
【００１２】
また、内部部品が板状ボビンの他方の面側において貼着した粘着層の粘着力は、板状ボビンの一方の面側に巻かれた導線が粘着する粘着層の粘着力よりも強く設定されていることが好ましい。このように、内部部品が板状ボビンの他方の面側において貼着した粘着層の粘着力を、板状ボビンの一方の面側に巻かれた導線が粘着する粘着層の粘着力よりも強く設定することにより、被装着物に貼り付けられた電子タグを取り外すために絶縁シートを剥がそうとした場合に、板状ボビンの一方の面側に巻かれた導線が絶縁シート側の粘着層に粘着した状態で絶縁シートが剥がされることになり、また、内部部品は被装着物側の粘着層に粘着された状態が保たれることから、まず板状ボビンの一方の面側に巻かれた導線の一部を確実に断線させることができる。
【００１３】
【発明の実施の形態】
以下、図面を参照しながら本発明による電子タグの好適な実施形態について詳細に説明する。
【００１４】
まず、本実施形態の要部を構成する電子タグの内部部品について説明する。図１は、本発明の実施形態に係る電子タグに含まれる内部部品の構成を示す平面図であり、図２は、同じく内部部品の構成を示す背面図であり、図３は、同じく内部部品の構成を示す斜視図である。
【００１５】
電子タグ１の内部部品１０は、図１〜図３に示されるように、回路部１１と、アンテナ部２１と、板状ボビン３１とで構成されている。回路部１１は、被装着物２に関する情報が記憶される素子としてのＩＣチップ１２と、このＩＣチップ１２を搭載する回路基板１３とを有している。回路基板１３には、一対の接続端子１４，１４が設けられており、この接続端子１４，１４の夫々は、回路基板１３に形成された導電パターンやワイヤーボンディング等（いずれも図示せず）により、ＩＣチップ１２のパッド（図示せず）に電気的に接続されている。
【００１６】
アンテナ部２１は、導線２２がコイル状に巻かれたものであり、ＩＣチップ１２に記憶されている情報を含んだ信号等を送受信するためのものである。本実施形態においては、導線２２として線径が２０μｍ程度の銅線を用いており、この銅線の外周には絶縁層が設けられている。更に、絶縁層の外周には、熱熔着のできる材料にて被覆を形成しており、導線２２をコイル状に巻き上げた後、熱処理を施すことにより被覆同士を溶着して導線２２がばらけないようにしている。
【００１７】
板状ボビン３１は、図４に示されるように、平面視円形の非導電性を有する合成樹脂製の薄板部材からなり、板状ボビン３１の一方の面３１ａには、導線２２を巻くための突出部３２が形成されている。突出部３２は、平面視で円形を呈しており、この突出部３２には、図３に示されるように、導線２２がコイル状に巻かれる。板状ボビン３１の突出部３２が形成されている部分、すなわち導線２２が巻かれる部分の内側には、板状ボビン３１を貫通する穴部３３が形成されており、穴部３３は、平面視で矩形を呈している。
【００１８】
板状ボビン３１の他方の面３１ｂには、導線２２の巻き始め部分２３及び巻き終わり部分２４を収納するための溝部３４，３４が、穴部３３を跨ぐ形状で設けられている。この溝部３４，３４は、導線２２の線径より十分に大きい巾を有している。
【００１９】
板状ボビン３１の外周部分には、導線２２の巻き始め部分２３をからげて固定するための第１の突起部３５、導線２２の巻き終わり部分２４の先端をからげて固定するための第２の突起部３６、導線２２の巻き始め部分２３と巻き終わり部分２４との間の途中部分２５，２５をからげて固定するための第３〜第６の突起部３７，３８，３９，４０が設けられている。第３の突起部３７及び第４の突起部３８は、第１の突起部３５及び第２の突起部３６が設けられた位置から、図２において反時計回りに略９０度回転した位置に設けられている。また、第５の突起部３９及び第６の突起部４０は、第１の突起部３５及び第２の突起部３６が設けられた位置から、図２において時計回りに略９０度回転した位置に設けられている。したがって、第３の突起部３７及び第４の突起部３８と、第５の突起部３９及び第６の突起部４０とは、穴部３３を挟んで対向する位置に設けられることになる。
【００２０】
導線２２の巻き始め部分２３と巻き終わり部分２４との間の途中部分２５，２５は、以下のようにして、板状ボビン３１の他方の面３１ｂ側において張り渡される。導線２２の途中部分２５は、第３の突起部３７に固定された後に、板状ボビン３１の他方の面３１ｂ側において穴部３３を跨ぐようにして張り渡され、第５の突起部３９に固定される。次に、導線２２の途中部分２５は、第６の突起部４０にかけられて固定された後に、板状ボビン３１の他方の面３１ｂ側において穴部３３を跨ぐようにして張り渡され、第４の突起部３８に固定される。導線２２の途中部分２５，２５は、板状ボビン３１の他方の面３１ｂ側において、穴部３３を跨ぐようにして互いに交差するようにして、２箇所張り渡されている。
【００２１】
板状ボビン３１の一方の面３１ａ側において突出部３２に巻かれた導線２２の巻き始め部分２３及び巻き終わり部分２４は、図２に示されるように、溝部３４，３４と同位置に設けられた切り欠き部４１，４１を通して板状ボビン３１の他方の面３１ｂ側に導かれている。切り欠き部４１，４１と、第１の突起部３５及び第２の突起部３６とは、穴部３３を挟んで対向する位置に設けられている。板状ボビン３１の他方の面３１ｂ側に導かれた導線２２の巻き始め部分２３及び巻き終わり部分２４は、溝部３４，３４に収納され、穴部３３を跨ぐようにして互いに交差するようにして張り渡され、その先端が第１の突起部３５と第２の突起部３６とに夫々固定されている。
【００２２】
回路部１１は、図１〜図３に示されるように、穴部３３内に配設されている。回路部１１は、導線２２が板状ボビン３１に巻かれ、導線２２の巻き始め部分２３及び巻き終わり部分２４が穴部３３を跨ぐようにして板状ボビン３１（第１の突起部３５及び第２の突起部３６）に固定された後に、導線２２の巻き始め部分２３及び巻き終わり部分２４の穴部３３を跨ぐ部分に対して、接続端子１４の夫々が巻き始め部分２３又は巻き終わり部分２４の穴部３３を跨ぐ部分に当接するように、板状ボビン３１の一方の面３１ａ側から載置される。接続端子１４と巻き始め部分２３又は巻き終わり部分２４の穴部３３を跨ぐ部分とは、ハンダ付け又は超音波溶着等によって互いに電気的に接続される。
【００２３】
電子タグ１は、図５及び図６に示されるように、上述したように構成された内部部品１０が第１の粘着層５１と第２の粘着層５２との間に挟み込まれ、第１の粘着層５１の外側には、表面基材としての絶縁シート６１、たとえばポリエステル樹脂からなるシートが、第２粘着層の外側には剥離シート７１が、夫々貼着されて、略シート状に一体化された構造を有している。第１の粘着層５１には、板状ボビン３１の一方の面３１ａ側に巻かれた導線２２が粘着される。第２の粘着層５２には、板状ボビン３１の他方の面３１ｂ、回路部１１、板状ボビン３１の他方の面３１ｂ側において張り渡された導線２２の巻き始め部分２３、同じく巻き終わり部分２４、及び、同じく途中部分２５，２５が粘着される。
【００２４】
ここで、本実施形態においては、第２の粘着層５２の粘着力は、第１の粘着層５１の粘着力よりも強く設定されている。なお、絶縁シート６１としては、たとえばポリエチレンやポリプロピレン、あるいはポリエステル、塩化ビニル樹脂等の熱可塑性樹脂材料、あるいは、紙または合成紙等からなるものが好適に使用可能である。また、剥離シート７１の材質にとくに制限はないが、剥離剤としてシリコーン樹脂やフッ素樹脂等を表面にコーティングした剥離紙等が好適に使用可能である。
【００２５】
なお、板状ボビン３１の厚さは、回路部１１の厚さより厚く設定されており、図６に示されるように、回路部１１と第１の粘着層５１との間に間隙Ａが形成されている。このように、板状ボビン３１の厚さが回路部１１の厚さより厚く設定され、回路部１１と第１の粘着層５１との間に間隙Ａが形成されることにより、電子タグ１に対して物が衝突する等して絶縁シート６１側から衝撃が加えられた場合に、間隙Ａが緩衝部として機能し、回路部１１に作用する衝撃を和らげる。このため、回路部１１の破損を抑制することができる。
【００２６】
本実施形態においては、絶縁シート６１の片面に、粘着剤、たとえばアクリル系粘着剤を塗布して第１の粘着層５１を形成し、この第１の粘着層５１の上に内部部品１０を載置し、次いで、第１の粘着層５１及び内部部品１０の上に、粘着剤、たとえば第１の粘着層５１と同様のアクリル系粘着剤を塗布して第２の粘着層５２を形成している。また、形成された第２の粘着層５２の上に、剥離シート７１を貼着し、加圧してシート状に一体化させている。なお、第１の粘着層５１又は第２の粘着層５２を形成する粘着剤としては、たとえばアクリル、ゴム、ポリエステル、シリコーン系等の粘着剤が使用可能であり、第１の粘着層５１と第２の粘着層５２とに使用する粘着剤の種類は、同じでもあるいは異なっていてもよい。
【００２７】
電子タグ１を被装着物２に貼り付けた後に、剥がそうとしたときの電子タグ１状態を、図７（ａ）〜（ｃ）及び図８（ａ）〜（ｃ）に基づいて説明する。
【００２８】
上述したようにして構成した電子タグ１から剥離シート７１を剥がした残りの部分を、図７（ａ）に示されるように、第２の粘着層５２を介して、被装着物２の表面に貼り付ける。その後、この貼り付けられた電子タグ１を取り外すために、図７（ｂ）に示されるように、絶縁シート６１を剥がしたところ、図７（ｃ）に示されるように、板状ボビン３１に巻かれた導線２２の一部が第１の粘着層５１に粘着した状態で、絶縁シート６１が剥がされることになる。
【００２９】
第２の粘着層５２の粘着力は、第１の粘着層５１の粘着力よりも強く設定されているので、板状ボビン３１は第２の粘着層５２に粘着された状態が保たれ、板状ボビン３１に巻かれた導線２２の残りの大部分は第２の粘着層５２（被装着物２）側に残ることになる。したがって、第１の粘着層５１に粘着した導線２２と板状ボビン３１側に残った導線２２との間のいずれかの箇所には、絶縁シート６１（第１の粘着層５１）を介して上方に引っ張られる力が加わり、絶縁シート６１を剥がす途中で導線２２が断線して、電子タグ１（内部部品１０）が破壊される。
【００３０】
板状ボビン３１に巻かれた導線２２の一部が第１の粘着層５１に粘着することなく絶縁シート６１が剥がされた場合には、図８（ａ）に示されるように、内部部品１０が第２の粘着層５２（被装着物２）側に残ることになる。内部部品１０が第２の粘着層５２（被装着物２）側に残った状態において、内部部品１０を取り外すために、板状ボビン３１を第２の粘着層５２から剥がそうとした場合には、板状ボビン３１の他方の面３１ｂ側において張り渡された導線２２の巻き始め部分２３と、同じく巻き終わり部分２４と、同じく途中部分２５と、回路部１１とが第２の粘着層５２に粘着しているので、板状ボビン３１は、図８（ｂ）に示されるように、導線２２の巻き始め部分２３、巻き終わり部分２４、途中部分２５、あるいは、回路部１１が第２の粘着層５２に粘着した状態で剥がされる。図８（ｂ）においては、導線２２の途中部分２５が第２の粘着層５２に粘着した状態が示されている。
【００３１】
板状ボビン３１を更に剥がそうとした場合には、図８（ｃ）に示されるように、導線２２の巻き始め部分２３、巻き終わり部分２４、又は、途中部分２５が断線することになる。図８（ｃ）においては、導線２２の途中部分２５が断線した状態が示されている。また、回路部１１が第２の粘着層５２に粘着した状態で板状ボビン３１が剥がされる場合には、回路部１１の接続端子１４と導線２２の巻き始め部分２３又は巻き終わり部分２４との間が切断することになる。したがって、上述したように、内部部品１０が破壊されることなく第２の粘着層５２（被装着物２）側に残った場合において、内部部品１０を取り外そうとした場合でも、電子タグ１（内部部品１０）が破壊されることになる。
【００３２】
以上のように、本実施形態の電子タグ１によれば、回路部１１と、アンテナ部２１と、板状ボビン３１とを備えた内部部品１０が、第１の粘着層５１と第２の粘着層５２とで挟持され、第１の粘着層５１には、板状ボビン３１の一方の面３１ａ側に巻かれた導線２２が粘着され、第２の粘着層５２には、板状ボビン３１の他方の面３１ｂ、回路部１１、板状ボビン３１の他方の面３１ｂ側において張り渡された導線２２の巻き始め部分２３、同じく巻き終わり部分２４、及び、同じく途中部分２５が粘着されており、第１の粘着層５１の外側が絶縁シート６１により覆われているので、被装着物２に貼り付けられた電子タグ１を剥がそうとした場合に、板状ボビン３１に巻かれた導線２２の一部が断線して、内部部品１０が破壊されることになる。この結果、板状ボビン３１の一方の面３１ａ側において導線２２の一部が断線しているので、剥がした電子タグ１を再度貼り付けて利用しようとしても、電子タグ１側から信号を送信することが不可能となり、再度電子タグ１を利用することはできない。
【００３３】
板状ボビン３１に巻かれた導線２２の一部が第１の粘着層５１に粘着することなく絶縁シート６１が剥がされた場合には、導線２２の巻き始め部分２３、巻き終わり部分２４、又は、途中部分２５が断線する、あるいは、回路部１１の接続端子１４と導線２２の巻き始め部分２３又は巻き終わり部分２４との間が切断して、内部部品１０が破壊されることになる。この結果、板状ボビン３１の他方の面３１ｂ側において導線２２の一部が断線しているので、剥がした電子タグ１を再度貼り付けて利用しようとしても、電子タグ１側から信号を送信することが不可能となり、再度電子タグ１を利用することはできない。
【００３４】
また、アンテナ部２１を構成することになる導線２２は板状ボビン３１に巻かれるので、アンテナ部２１の取り扱いが容易になり、製造時における導線２２の損傷を防ぐことができる。
【００３５】
また、板状ボビン３１の導線２２が巻かれる部分の内側には、板状ボビン３１を貫通する穴部３３が形成されており、導線２２の巻き始め部分２３及び巻き終わり部分２４は、板状ボビン３１の他方の面３１ｂ側において、穴部３３を跨ぐようにして張り渡され、回路部１１は、穴部３３の位置に張り渡された導線部分に対して、板状ボビン３１の一方の面３１ａ側から載置された状態で電気的に接続されていることにより、導線２２の位置が板状ボビン３１によって位置決めされ、回路部１１を導線２２に電気的に接続する工程を自動化することが可能となり、電子タグ１の生産性を向上することができる。
【００３６】
また、板状ボビン３１の他方の面３１ｂ側において張り渡された導線２２の巻き始め部分２３、同じく巻き終わり部分２４、及び、同じく途中部分２５は第２の粘着層５２に粘着されるので、板状ボビン３１の他方の面３１ｂ側に張り渡された導線部分が複数となり、板状ボビン３１が第２の粘着層５２から剥がされるときに導線２２が断線する確率が高くなる。したがって、板状ボビン３１の他方の面３１ｂ側に張り渡された導線部分において断線し易い箇所が増加するので、導線２２を確実に断線させることができる。
【００３７】
また、導線２２の巻き始め部分２３、同じく巻き終わり部分２４、及び、同じく途中部分２５を板状ボビン３１の他方の面３１ｂ側において張り渡たすという簡易な構成にて、導線２２を板状ボビン３１の他方の面３１ｂ側において積極的且つ確実に断線させることが可能な構成を実現することができる。
【００３８】
また、第２の粘着層５２の粘着力が、第１の粘着層５１の粘着力よりも強く設定されていることにより、被装着物２に貼り付けられた電子タグ１を取り外そうとして絶縁シート６１を剥がそうとした場合に、板状ボビン３１に巻かれた導線２２の一部が第１の粘着層５１に粘着した状態で絶縁シート６１が剥がされることになり、また、板状ボビン３１は第２の粘着層５２に粘着された状態が保たれることから、板状ボビン３１に巻かれた導線２２をより一層確実に断線させることができる。
【００３９】
なお、本実施形態においては、第２の粘着層５２の粘着力を、第１の粘着層５１の粘着力よりも強く設定したが、これに限られることなく、第１の粘着層５１の粘着力を、第２の粘着層５２の粘着力よりも強く設定するようにしてもよく、また、接着力を同等に設定してもよい。
【００４０】
第１の粘着層５１の粘着力を、第２の粘着層５２の粘着力よりも強く設定した場合には、板状ボビン３１が第１の粘着層５１に粘着して、絶縁シート６１と共に剥がれることになる。しかしながら、回路部１１、板状ボビン３１の他方の面３１ｂ側において張り渡された導線２２の巻き始め部分２３、同じく巻き終わり部分２４、及び、同じく途中部分２５とが第２の粘着層５２に粘着しているので、板状ボビン３１は、導線２２の巻き始め部分２３、巻き終わり部分２４、途中部分２５、あるいは、回路部１１が第２の粘着層５２に粘着した状態で剥がされることになり、導線２２の巻き始め部分２３、巻き終わり部分２４、又は、途中部分２５が断線する、あるいは、回路部１１の接続端子１４と導線２２の巻き始め部分２３又は巻き終わり部分２４との間が切断されることになる。したがって、第１の粘着層５１の粘着力を、第２の粘着層５２の粘着力よりも強く設定した場合には、板状ボビン３１の他方の面３１ｂ側において、内部部品１０を積極的に破壊することができる。
【００４１】
また、本実施形態においては、第１の粘着層５１を設けて第１の粘着層５１と第２の粘着層５２とで内部部品を挟持するように構成されているが、第１の粘着層５１を設けることなく、内部部品１０が第２の粘着層５２に貼着された状態で、内部部品１０を覆うようにして絶縁シート６１を第２の粘着層５２に貼着するように構成してもよい。このように構成した場合においても、本発明によれば、板状ボビン３１の他方の面３１ｂ側において、導線２２を断線させることができる。
【００４２】
また、本実施形態においては、ＩＣチップ１２を回路基板１３に搭載するように構成しているが、回路基板１３を設けることなく、ＩＣチップ１２自体に導線２２を電気的に接続する接続部を形成し、ＩＣチップ１２を導線２２に対して載置させるように構成してもよい。
【００４３】
また、本実施形態においては、板状ボビン３１の他方の面３１ｂ側にて、導線２２の巻き始め部分２３、同じく巻き終わり部分２４、及び、同じく途中部分２５，２５が張り渡されるように構成されているが、これに限られることなく、たとえば導線２２の巻き始め部分２３のみを板状ボビン３１の他方の面３１ｂ側に張り渡すように構成してもよく、また、導線２２の巻き終わり部分２４のみを板状ボビン３１の他方の面３１ｂ側に張り渡すように構成してもよい。更には、導線２２の途中部分２５，２５のみを板状ボビン３１の他方の面３１ｂ側に張り渡すように構成してもよい。また、板状ボビン３１の他方の面３１ｂ側において張り渡される導線２２の途中部分２５，２５は、第３の突起部３７と第５の突起部３９との間と、第６の突起部４０と第４の突起部３８との間との２箇所張り渡されているが、これに限られることなく、３箇所以上張り渡されるように構成してもよく、また、１箇所張り渡されるように構成してもよい。
【００４４】
【発明の効果】
以上、詳細に説明したように、本発明によれば、一度被装着物に貼り付けた電子タグが再度利用されないように、電子タグを被装着物から剥がそうとした場合に、電子タグが確実に破壊される構造を実現することができる。
【図面の簡単な説明】
【図１】本発明の実施形態に係る電子タグに含まれる、内部部品の構成を示す平面図である。
【図２】本発明の実施形態に係る電子タグに含まれる、内部部品の構成を示す背面図である。
【図３】本発明の実施形態に係る電子タグに含まれる、内部部品の構成を示す斜視図である。
【図４】本発明の実施形態に係る電子タグに含まれる、板状ボビンの構成を示す斜視図である。
【図５】本発明の実施形態に係る電子タグの構成を示す平面図である。
【図６】本発明の実施形態に係る電子タグの構成を示す断面図である。
【図７】本発明の実施形態に係る電子タグを剥がした状態を説明するための断面図であり、（ａ）は電子タグを被装着物に貼り付けた状態を示し、（ｂ）及び（ｃ）は絶縁シート及び第１の粘着層が剥がされる状態を示している。
【図８】本発明の実施形態に係る電子タグを剥がした状態を説明するための断面図であり、（ａ）は絶縁シート及び第１の粘着層が剥がされた状態を示し、（ｂ）及び（ｃ）は内部部品が被装着物から剥がされる状態を示している。
【符号の説明】
１…電子タグ、２…被装着物、１０…内部部品、１１…回路部、１２…チップ、１３…回路基板、１４…接続端子、２１…アンテナ部、２２…導線、２３…導線の巻き始め部分、２４…導線の巻き終わり部分、２５…導線の巻き始め部分と巻き終わり部分との間の途中部分、３１…板状ボビン、３１ａ…一方の面、３１ｂ…他方の面、３２…突出部、３３…穴部、３４…溝部、３５…第１の突起部、３６…第２の突起部、３７…第３の突起部、３８…第４の突起部、３９…第５の突起部、４０…第６の突起部、４１…切り欠き部、５１…第１の粘着層、５２…第２の粘着層、６１…絶縁シート、７１…剥離シート。
【図１】
0003707330.tif 000002
【図２】
0003707330.tif 000003
【図３】
0003707330.tif 000004
【図４】
0003707330.tif 000005
【図５】
0003707330.tif 000006
【図６】
0003707330.tif 000007
【図７】
0003707330.tif 000008
【図８】
0003707330.tif 000009